(57)【特許請求の範囲】
【請求項１】
前面部材と、この前面部材に対して後方向に離隔し、かつ横幅を前面部材の横幅より狭くした背面部材とを有し、
上記前面部材と背面部材のそれぞれの一端部を連接部材にて一体状に連接すると共に、前面部材と背面部材の一端と連接部材の側面とを同一面状にし、
背面部材の横幅方向両側端に横方向側方を開放した断面コ字状に形成した溝を上下方向に設けたブロック本体と、
ブロック本体の背面部材に設けられて互いに対向する上記溝に差し込み係合される板材よりなる背面板とからなり、
上記溝を、背面部材の下側半分程度に設け、
この溝より上側の背面部材の端部形状を、上記溝の前面部材側の一辺と底辺を上方へ延長して背面部材の背面側が開放される断面Ｌ字状に形成した
ことを特徴とする擁壁用ブロック。
【請求項２】
請求項１記載の擁壁用ブロックのブロック本体を横方向に並べると共に積み重ね、横方向に並べたブロック本体の背面部材の横方向に対向する溝間に背面板を差し込み係合し、
並び方向の端に位置するブロック本体の連接部材と反対側で、このブロックの前面部材の外側に、背面部材の側端に設けた溝に対向する溝を設けた側面板、端枠等の側端ブロックを配置し、この側端ブロックと上記背面部材のそれぞれの溝に背面板を差し込んだことを特徴とする擁壁。
【発明の詳細な説明】
【技術分野】
【０００１】
本発明は、前後方向に離隔して配置される前面部材及び背面部材と、この両部材を連接する連接部材とを有するブロック本体と、このブロック本体相互の連接部材間を閉じる背面版とからなる擁壁用ブロック、及びこれを用いた擁壁に関するものである。
【背景技術】
【０００２】
従来、この種の擁壁用ブロックは、被施工面に対して略直角に配し、かつ横方向へ所定間隔おきに設置する複数の連接部材と、この連接部材の後端部の両側面に設けた溝に両端部を係合させた複数の背面板と、連接部材の前端面に重ねて擁壁前面を覆う複数の前面部材とからなり、背面板を係合支持する連接部材と前面部材とは別部材になっていた（例えば、特許文献１参照）。
【０００３】
そしてこのような擁壁用ブロックを用いた擁壁は、連接部材を被施工面に対して略直角に配して横方向に所定間隔をおきに設置すると共に、縦方向に順次積み重ねて設置し、この各連接部材の後端部の両側に設けた溝に背面板の両側部を係合し、また連接部材の前端面に隣接する前面部材の端部を突き合わせて当接させ、ついで隣接する連接部材の相互を第１の連結部材にて連結し、背面板と前面異部材とを第２の連結部材にて連結して構築するようになっている。
【０００４】
また、他の従来の擁壁用ブロックとしては、前後に離隔して配置する前面部材と背面板とは複数のセパレータにて連結される構造になっている（例えば、特許文献２参照）。
【０００５】
【特許文献１】特開２００１−７３３９４号公報
【特許文献２】特開平１１−２９９４５号公報
【発明の開示】
【発明が解決しようとする課題】
【０００６】
上記した従来の擁壁用ブロックのうち前者にあっては、前面部材と背面板を差し込み係合する連接部材が別体になっているため、比較的重量が大きな前面部材とが別々であることにより、これらの取り扱いが容易であるという利点があるが、逆に容量が大きい前面部材と連接部材を別々に取り扱わなければならず、しかも連接部材間に係合する背面板もプレキャストコンクリートにて構成されていたため、この擁壁用ブロックの取り扱いがやっかいであった。
【０００７】
また、このような擁壁用ブロックを用いた擁壁の構築は、上記したように擁壁用ブロックの取り扱いがやっかいでブロックにおける前面部材と背面板の相互を、それぞれ連結部材にていちいち連結しなければならないため、施工工数が多くかかるという問題があった。
【０００８】
また、上記従来の擁壁用ブロックの後者にあっても同様に、前面部材と背面板とが複数のセパレータにて連結されるようになっていったため、構成部材が多くなって、これの取り扱いがやっかいであると共に、これを用いた擁壁の構築も各擁壁用ブロックごとにおける連結工数が必要となって、施工工数が多くかかってしまうという問題があった。
【０００９】
本発明は上記のことに鑑みなされたもので、個々のブロック本体の取り扱いが容易であり、しかも前面部材に対する背面板の設置が極めて簡単に行うことができて、擁壁の構築を短い工期で行うことができると共に、安価に行うことができるようにした擁壁用ブロック及びこれを用いた擁壁を提供することを目的とするものである。
【課題を解決するための手段】
【００１０】
上記目的を達成するために、本発明に係る擁壁用ブロックは、前面部材と、この前面部材に対して後方向に離隔し、かつ横幅を前面部材の横幅より狭くした背面部材とを有し、上記前面部材と背面部材のそれぞれの一端部を連接部材にて一体状に連接すると共に、前面部材と背面部材の一端と連接部材の側面とを同一面状にし、背面部材の横幅方向両側端に横方向側方を開放した断面コ字状に形成した溝を上下方向に設けたブロック本体と、ブロック本体の背面部材に設けられて互いに対向する上記溝に差し込み係合される板材よりなる背面板とからなり、上記溝を、背面部材の下側半分程度に設け、この溝より上側の背面部材の端部形状を、上記溝の前面部材側の一辺と底辺を上方へ延長して背面部材の背面側が開放される断面Ｌ字状に形成した構成になっている。
【００１２】
また、上記構成の擁壁用ブロックを用いた擁壁は、擁壁用ブロックのブロック本体を横方向に並べると共に積み重ね、横方向に並べたブロック本体の背面部材の横方向に対向する溝間に背面板を差し込み係合し、並び方向の端に位置するブロック本体の連接部材と反対側で、このブロックの前面部材の外側に、背面部材の側端に設けた溝に対向する溝を設けた側面板、端枠等の側端ブロックを配置し、この側端ブロックと上記背面部材のそれぞれの溝に背面板を差し込んだ構成になっている。
【発明の効果】
【００１３】
本発明に係る擁壁用ブロックによれば、背面板を支持する背面部材が、連接部材を介して前面部材と一体状にしたブロック本体の一部となっていることにより、ブロック本体を設置することでこの背面部材の前面部材に対する設置位置が自動的に決められ、しかも背面板は背面部材の一端に設けた溝と、隣接して設置される他のブロック本体あるいは側端ブロックに設けた溝とに挿入すればよいことにより、背面板を用いる擁壁用ブロックを、前面部材に対する背面板の姿勢を正確に維持した状態で極めて容易に設置することができる。
【００１４】
また本発明に係る上記擁壁用ブロックを用いた擁壁によれば、前面部材と背面板とを連接するための連結体やセパレータ等の連結部材を必要とすることなく設置することができることにより、擁壁を構成する部材の数が少なくなり、部材管理が容易であると共に、組み立て工数を少なくすることができ、施工工期を短くできる。
【００１５】
そして上記背面板を挿入する溝が背面板の上下方向の長さを短くしたことにより、この溝に少しくらいゆがみがあっても、この溝への背面板の挿入を容易に行うことができる。
【発明を実施するための最良の形態】
【００１６】
本発明に係る擁壁用ブロックは、前面部材と横幅をこの前面部材の横幅より狭くした背面部材とを連接部材にて一体成形してなり、上記背面部材の両側端に縦方向の溝を設けたブロック本体と、このブロック本体の前面部材が同一面となるように並べた状態でのそれぞれの背面部材の両端の対向間に、それぞれの側端に設けた溝に差し込む背面板とからなり、そして、上記ブロック本体を横方向に並べ、この各ブロック本体の背面部材相互間の空間を背面板にて閉じて擁壁を構築するようになっている。
【００１７】
図１から図１３は本発明の実施例を示すものでありある。そして、図１から図５は擁壁用ブロックを構成する各部材を示すもので、図１はブロック本体１を示す斜視図、図２はその平面図、図３は正面図、図４は側面図であり、図５は背面板２を示す斜視図である。また図６は上記擁壁用ブロックにて擁壁を構築するときに用いる側面板３を示す斜視図、図７はその正面図、図８は平面図、図９は側面図である。そして図１０から図１３は上記擁壁用ブロックを、例えば２段に積み上げた状態を示すもので、図１０は斜視図、図１１は正面図、図１２は右側面図、図１３は左側面図である。
【００１８】
図１から図４にて示されるブロック本体１は、前面部材４と、この前面部材４と平行に配置される背面部材５と、前面部材４と背面部材５のそれぞれの一側端部を連接する連接部材６とからなり、ブロック本体１はコンクリートにてこれら各部材４，５，６が一体状に成形されている。前面部材４と背面部材５は施工性を考慮して後傾されているが、直角でもよい。また両部材４，５を連接する連接部材６は垂直になっている。そしてこの各部材４，５，６からなるブロック本体１の上下面は平行（水平）になっている。
【００１９】
前面部材４は横長の矩形状になっており、背面部材５はこの前面部材４の横方向長さより短く、例えば１／２より短くなっている。前面部材４と背面部材５のそれぞれの横方向の一端、例えば右側（左側でもよい）は同一面状になっている。そしてこの実施例における連接部材６の外側面は、この両部材４，５の一端面と同一面になっている。前面部材４と後面部材５のそれぞれには水抜き穴４ａ，５ａが設けてある。
【００２０】
背面部材５の両側端面には上下方向に、横方向側方を開放した断面コ字状の溝５ｂ，５ｃが設けてある。この両溝５ｂ，５ｃは上下方向の下側半分程度に設けてあり、後述するように背面板２の上下方向の長さより短くなっている。この溝５ｂ，５ｃは背面部材５の上下方向の長さより短いことにより、この溝５ｂ，５ｃへの背面板２の挿入が容易となる。
そして上記溝５ｂ，５ｃより上側の背面部材５の端面形状が、上記溝５ｂ，５ｃの前面部材側の一辺と底辺を上方へ延長した形状に形成されて背面部材５の背面側が開放される断面Ｌ字状になっている。
【００２１】
前面部材４の上面には複数の突起７，７が設けてあり、下面にはこの突起７，７と対応する位置に、各突起７，７が嵌合する穴８，８が設けてある。
【００２２】
連接部材６の上面には横方向に長くした突条９が設けてあり、下面にはこの突条９に対して前方向に係合する凹部１０が設けてある。またこの連接部材６には貫通孔１１が設けてある。
【００２３】
背面板２は図５に示すように矩形状になっていて、その高さ寸法は背面部材５の傾斜に沿う高さ、あるいはこれより短くなっており、また横幅寸法は、図２における前面部材４の横幅寸法と後面部材５の横幅寸法の差Ｌに、溝５ｂ，５ｃの深さｄの２倍を加えた寸法、すなわち背面板２の横幅寸法ＷはＬ＋２ｄになっている。そしてこの背面板２の厚さは溝５ｂ，５ｃに容易に挿入できる寸法になっている。この背面板２は、木毛板や木片セメント板、スレートボード、けい酸カルシウム板、石こうボード等の板材にて構成されている。
【００２４】
側面板３は図６から図９に示すようになっていて、側面形状はブロック本体１の突条９、凹部１０及び貫通孔１１がない状態の側面形状と同一形状になっている。そして、これの上面には複数の突起１２，１２が、また下面にはこれに対応する位置に各突起１２，１２が嵌合する穴１３，１３が設けてある。また、この側面板３の後端部の一方の側面（内側面）に、上記ブロック本体１の背面部材５の内側面に設けた溝５ｂと同一の溝１４が設けてある。側面板３の一方の側面（内側面）には、鋼線による吊り具１５が複数設けてある。
【００２５】
上記構成の擁壁用ブロックの擁壁としての積み重ねは、図１０から図１３にて示す。法面の基部に設置した基盤Ａ上に最下段となるブロック本体１を横方向に並べて載置する。このとき、正面から見て右側のブロック本体１の前面部材４の左側端面に、次に並べるブロック本体１の前面部材４の右側端面を当接して順次並べていく。そしてこれらの最も左側に位置するブロック本体１の左側に、これに前面部材４の左側端面に沿わせて側面板３を設置する。
【００２６】
この状態で、各ブロック本体１の後面には、背面部材５の一端（内側）に設けた溝５ｂと、左隣のブロック本体１の他端（外側）に設けた溝５ｃの間に空間が形成される。そしてこの空間は、両溝５ｂ，５ｃ間に背面板２を挿入することにより閉じられる。このとき最も左側に位置するブロック本体１の背面を閉じる背面板２は、ブロック本体１側の溝５ｂと側面板３に設けた溝１４の間に挿入される。各溝５ｂ，５ｃ，１４は背面板２の挿入方向に短いことにより、この各溝５ｂ，５ｃ，１４の形状が多少ゆがんでいても背面板２は容易に挿入することができる。
【００２７】
２段目以上の擁壁用ブロックの積み重ねも上記のように行う。このとき、上側のブロック本体１の下面に設けた穴８，８を下側のブロック本体１の上面に設けた突起７，７に嵌合すると共に、上側のブロック本体１の下面に設けた凹部１０を下側のブロック本体１の突条９に当接させる。これにより上側の擁壁用ブロックの前方へのせり出しが防止される。
【００２８】
図１０〜図１３に示した実施の形態は、２段積みであるがこれは必要に応じて多段に積み重ねる。そして各擁壁用ブロックの内側に構成される空間内には、玉石や小石等の中詰め材を投入し、あるいはコンクリート打設する。また、図示しないが擁壁用ブロックの背面と法面との間には裏込め材を投入して突きかためる。このとき上記背面板２は埋め殺しとなる。
【００２９】
なお、この実施例において複数のブロック本体１を横方向に並べて、これの最も左側のブロック本体１の左側を閉じるのに側面板３を設置した例を示したが、この側面板３に変えて図１４に示すように端枠１６を用いてもよい。
【００３０】
この端枠１６は、平面形状がコ字状に形成された第１枠体１６ａと平面形状が逆コ字状に形成された第２枠体１６ｂを向かい合わせ対向させて配置させる構成になっている。
【００３１】
上記第１枠体１６ａは図１５に、また第２枠体１６ｂは図１６に示すようになっていて、これらの側面形状は図４に示したブロック本体１の形状と同一になっていて、連接部材１７ａには凹部１０、貫通孔１１が設けてあり、また上面には凹部１０に係合する突条９と、下面に設けた穴に係合する突起７が設けてある。また、第１枠体１６ａの背面部材１７ｂの外側端面に溝５ｃが設けてある。なお、第２枠体１６ｂの背面部材１７ｂの内側端面にも溝５ｃが設けてある。
【００３２】
この構成の端枠１６は、上記したようにブロック本体１を横方向に並べて積み重ねて擁壁とするときに、これの図１４において左端の開放側に、第１・第２の枠体１６ａ，１６ｂを向かい合わせにしてなる端枠１６を積み重ねる。これにより上記各段の左側端のブロックを本体１の開放側が端枠１６にて閉じられる。
【００３３】
なおこのときにおいて、上記端枠１６の外側を構成する第２枠体１６ｂの背面部材１７ｂの内側端面にも溝５ｃが設けてあるので、内側の第１枠体１６ａを省略して第２枠体１６ｂを直接左端側のブロック本体１の端面に対向させ、この第２枠体１６ｂの溝５ｃとブロック本体１の溝５ｂとの間に背面板２を挿入して背面側を閉じるようにしてもよい。
【図面の簡単な説明】
【００３４】
【図１】本発明の実施例のブロック本体を示す斜視図である。
【図２】本発明の実施例のブロック本体を示す平面図である。
【図３】本発明の実施例のブロック本体を示す正面図である。
【図４】本発明の実施例のブロック本体を示す側面図である。
【図５】背面板を示す斜視図である。
【図６】側面板を示す斜視図である。
【図７】側面板を示す正面図である。
【図８】側面板を示す平面図である。
【図９】側面板を示す側面図である。
【図１０】実施例のブロック本体を用いた擁壁用ブロックの積み重ね状態を示す斜視図である。
【図１１】実施例のブロック本体を用いた擁壁用ブロックの積み重ね状態を示す正面図である。
【図１２】実施例のブロック本体を用いた擁壁用ブロックの積み重ね状態を示す右側面図である。
【図１３】実施例のブロック本体を用いた擁壁用ブロックの積み重ね状態を示す左食面図である。
【図１４】実施例の他例を示す擁壁用ブロックの積み重ね状態を示す斜視図である。
【図１５】端枠の一方の枠体を示す斜視図である。
【図１６】端枠の他方の枠体を示す斜視図である。を示す斜視図である。
【符号の説明】
【００３５】
１…ブロック本体、２…背面板、３…側面板、４…前面部材、５…背面部材、４ａ，４ｂ…水抜き穴、５ｂ、５ｃ、１４…溝、６，１７ａ，１７ｂ…連接部材、７，１２…突起、８，１３…穴、９…突条、１０…凹部、１１…貫通穴、１５…吊り具、１６…端枠、１６ａ，１６ｂ…枠体。
【図１】
0004576356.tif 000002
【図２】
0004576356.tif 000003
【図３】
0004576356.tif 000004
【図４】
0004576356.tif 000005
【図５】
0004576356.tif 000006
【図６】
0004576356.tif 000007
【図７】
0004576356.tif 000008
【図８】
0004576356.tif 000009
【図９】
0004576356.tif 000010
【図１０】
0004576356.tif 000011
【図１１】
0004576356.tif 000012
【図１２】
0004576356.tif 000013
【図１３】
0004576356.tif 000014
【図１４】
0004576356.tif 000015
【図１５】
0004576356.tif 000016
【図１６】
0004576356.tif 000017